(57)【要約】      （修正有）【課題】手動発電照明の杖を提供する。【解決手段】隣接する第一の杖の握り部部品１１と第二の杖の握り部部品１２とからなり、第一および第二の部品の下方にある内部に収納空間１１ｄが形成され、内部の一側にスイッチ実装槽が設けられ、内部の一側の上部に結合ブロックが設けられて、内部の他側にランプ孔１１ｉが設けられ、第二の部品の外側の下方に、クランクハンドル１５を組立てるための貫通孔１２ｍが設けられ、クランクハンドルの上方に、回転可能な部品が設けられて、下方に握り部１５ｂが設けられ、回転可能な部品の中央に回転可能槽１５ｃが設けられる杖の握り部本体１０と、上に制御スイッチ２１が設けられ、照明ランプ２４とブザー、電池、複数の発光素子、液面計及び発電セット２９が接続され、発電セットの上方の中央に制御ブロック２９ａが設けられるコントロールパネル２０とが含有される。【選択図】図２
0003153102.tif 000002
【実用新案登録請求の範囲】
【請求項１】
隣接する第一の杖の握り部部品と第二の杖の握り部部品とからなり、その上方の先端において第一の槽口にランプソケットが収納され、ランプソケットに複数の収納孔が設けられ、その上方の後端にある第二の槽口に発光素子のための透明なランプの笠が設けられ、その下方にある内部の一側に上下に対応する係合槽が設けられ、その下方の内部に収納空間が形成され、また、下方の一側にスイッチ実装槽が設けられ、上記下方の一側の上方に結合ブロックが設けられて、下方のもう一側にランプ孔が設けられ、また、その上方の中央に収納槽が形成され、同時に、第一の杖の握り部部品の収納槽の外側に円形状に配列された複数のブザー貫通孔が設けられ、また、収納槽の下方に、長尺状孔槽が設けられ、一方、第二の杖の握り部部品の外側の下方に、クランクハンドルを組立てるための貫通孔が設けられ、クランクハンドルの上方に、回転可能な部品が設けられて、下方に握り部が設けられ、回転可能な部品の中央に回転可能槽が設けられる杖の握り部本体と、
上に制御スイッチが設けられ、照明ランプとブザー、電池、複数の発光素子、液面計及び発電セットが接続され、発電セットの上方の中央に制御ブロックが設けられるコントロールパネルとが含有されることを特徴とする手動発電照明の杖。
【請求項２】
発光素子が、ＬＥＤランプであることを特徴とする請求項１に記載の手動発電照明の杖。
【請求項３】
第一の杖の握り部部品と第二の杖の握り部部品の下方の一側に、上から下へＵＳＢ槽と端子槽が設けられることを特徴とする請求項１に記載の手動発電照明の杖。
【請求項４】
コントロールパネルの上に、変圧器ソケットが設置されることを特徴とする請求項１に記載の手動発電照明の杖。
【請求項５】
コントロールパネルに、ＵＳＢソケットが接続されることを特徴とする請求項１に記載の手動発電照明の杖。
【請求項６】
第二の杖の握り部部品の外側に、クランクハンドル槽が設置されることを特徴とする請求項１に記載の手動発電照明の杖。
【考案の詳細な説明】
【技術分野】
【０００１】
本考案は、手動発電照明の杖に関し、主として、クランクハンドルで発電セットを操作して電力を電池内に格納し、杖の発電照明を実現するものに関する。
【背景技術】
【０００２】
老人や行動不便者或いは登山者は、杖で体を支持して、体の安定性を向上することにより、転んだりする意外を防止する。従来の杖は、木材や金属により一体成型され、その上部に、ユーザーが握るためのグリップがあり、また、その底部に、緩衝パッドが設けられて、地面からの衝撃を吸収し、このように、手部の不快適性が低減されて、そして、支持安定性が向上される。しかしながら、上記杖は、単に体の重心を支持することに補助するが、夜や光が不足である場所では、転んだりする恐れがあり、また、転んだりすると、他の人に通知して援助を求めることができないため、その使用安全性が不足である。
【０００３】
本考案者は、上記欠点を解消するため、慎重に研究し、また、学理を活用して、有効に上記欠点を解消でき、設計が合理である本考案を提案する。
【考案の概要】
【考案が解決しようとする課題】
【０００４】
本考案の目的は、手動発電照明の杖を提供し、主として、クランクハンドルを回すことにより、発電セットが電力を発生して、電力が電池の内部に格納される効果が得られ、また、コントロールパネルからメッセージを送信し、発光素子や照明ランプに給電して照明が実現され、本考案によれば、手動発電の機能が実現されて、使用便利性が向上される。
【課題を解決するための手段】
【０００５】
請求項１の考案は、隣接する第一の杖の握り部部品と第二の杖の握り部部品とからなり、その上方の先端において、第一の槽口にランプソケットが収納され、ランプソケットに、複数の収納孔が設けられ、その上方の後端にある第二の槽口に、発光素子のための透明なランプの笠が設けられ、その下方にある内部の一側に、上下に対応する係合槽が設けられ、その下方の内部に、収納空間が形成され、また、下方の一側に、スイッチ実装槽が設けられ、上記下方の一側の上方に、結合ブロックが設けられて、下方のもう一側に、ランプ孔が設けられ、また、その上方の中央に、収納槽が形成され、同時に、第一の杖の握り部部品の収納槽の外側に、円形状に配列された複数のブザー貫通孔が設けられ、また、収納槽の下方に、長尺状孔槽が設けられ、一方、第二の杖の握り部部品の外側の下方に、クランクハンドルを組立てるための貫通孔が設けられ、クランクハンドルの上方に、回転可能な部品が設けられて、下方に、握り部が設けられ、回転可能な部品の中央に、回転可能槽が設けられる杖の握り部本体と、上に、制御スイッチが設けられ、照明ランプとブザー、電池、複数の発光素子、液面計及び発電セットが接続され、発電セットの上方の中央に、制御ブロックが設けられるコントロールパネルと、が含有される、ことを特徴とする手動発電照明の杖である。
【０００６】
請求項２の考案は、発光素子が、ＬＥＤランプであることを特徴とする請求項１に記載の手動発電照明の杖である。
【０００７】
請求項３の考案は、第一の杖の握り部部品と第二の杖の握り部部品の下方の一側に、上から下へＵＳＢ槽と端子槽が設けられることを特徴とする請求項１に記載の手動発電照明の杖である。
【０００８】
請求項４の考案は、コントロールパネルの上に、変圧器ソケットが設置されることを特徴とする請求項１に記載の手動発電照明の杖である。
【０００９】
請求項５の考案は、コントロールパネルに、ＵＳＢソケットが接続されることを特徴とする請求項１に記載の手動発電照明の杖である。
【００１０】
請求項６の考案は、第二の杖の握り部部品の外側に、クランクハンドル槽が設置されることを特徴とする請求項１に記載の手動発電照明の杖である。
【００１１】
以下、図面を参照しながら、本考案の特徴や技術内容について、詳しく説明するが、それらの図面等は、参考や説明のためであり、本考案は、それによって制限されることが無い。
【図面の簡単な説明】
【００１２】
【図１】本考案の立体外観図
【図２】本考案の立体分解概念図
【図３】本考案の第一の杖頭部品とコントロールパネル及び発電セットが接続される状態の立体外観図
【図４】本考案の一つの実施方式の立体外観図
【図５】本考案の作動状態の参考概念図
【図６】本考案に係る杖の照明使用状態の参考概念図
【図７】本考案に係る杖が転んだりすると、警示の音を鳴らす時の使用状態の参考概念図
【考案を実施するための形態】
【００１３】
図１と図２を参照しながら、本考案は、隣接する第一の杖の握り部部品１１と第二の杖の握り部部品１２とからなる杖の握り部本体１０があり、上記杖の握り部本体１０は、その上方の先端において、第一の槽口１１ａ１２ａに、ランプソケット１３が収納され、ランプソケット１３に、複数の収納孔１３ａが設けられ、その上方の後端にある第二の槽口１１ｂ、１２ｂに、発光素子１６のための透明なランプの笠１４が設けられ、その下方にある内部の一側に、上下に対応する係合槽１１ｃ、１２ｃが設けられ、その下方の内部に、収納空間１１ｄ、１２ｄが形成され、また、下方の一側に、上から下へ、ＵＳＢ槽１１ｅ、１２ｅとスイッチ実装槽１１ｆ、１２ｆ及び端子槽１１ｇ、１２ｇが設けられ、上記の下方の一側において、上方に、結合ブロック１１ｈ、１２ｈが設けられ、また、下方のもう一側に、ランプ孔１１ｉ、１２ｉが設けられ、また、その上方の中央に、収納槽１１ｊ、１２ｊが形成され、同時に、第一の杖の握り部部品１１の収納槽１１ｊの外側に、円形状に配列された複数のブザー貫通孔１１ｋが設けられ、また、収納槽１１ｊ、１２ｊの下方に、長尺状孔槽１１１、１２１が設けられ、一方、第二の杖の握り部部品１２の外側の下方に、クランクハンドル１５を組立てるための貫通孔１２ｍが設けられ、クランクハンドル１５の上方に、回転可能な部品１５ａが設けられ、下方に、握り部１５ｂが設けられ、回転可能な部品１５ａの中央に、回転可能槽１５ｃが設けられ、また、コントロールパネル２０があり、上記コントロールパネル２０は、上に制御スイッチ２１と変圧器ソケット２２が設置され、第二の杖の握り部部品１２の外側に、クランクハンドル槽１７が設けられ、同時に、コントロールパネル２０には、ＵＳＢソケット２３と照明ランプ２４、ブザー２５、電池２６、複数の発光素子２７、液面計２８及び発電セット２９が接続され、発光素子２７は、ＬＥＤランプであり、発電セット２９の上方の中央に、制御ブロック２９ａが設けられる。
【００１４】
本考案によれば、図３のように、コントロールパネル２０は、まず、第一の杖の握り部部品１１と第二の杖の握り部部品１２の係合槽１１ｃ、１２ｃに挿設され、発電セット２９が、収納空間１１ｄ、１２ｄに設置され、発電セット２９の制御ブロック２９ａは、クランクハンドル１５の回転可能槽１５ｃと枢着され、電池２６が、発電セット２９の上方に設置され、ＵＳＢソケット２３が、ＵＳＢ槽１１ｅ、１２ｅに設置され、制御スイッチ２１が、スイッチ実装槽１１ｆ、１２ｆに設置され、変圧器ソケット２２が、端子槽１１ｇ、１２ｇに設置され、そして、ブザー２５が、収納槽１１ｊ、１２ｊ内に設置され、また、液面計２８が長尺状孔槽１１１、１２１内に設置され、発光素子２７が、ランプソケット１３の収納孔１３ａ内に設置され、照明ランプ２４が、ランプ孔１１ｉ、１２ｉに設置され、これにより、クランクハンドル１５で発電セット２９を利用して電力を発生でき、また、電力が電池２６の内部に格納され、この場合、制御スイッチ２１を押すと、コントロールパネル２０でメッセージを送信して、発光素子２７、１６と照明ランプ２４に給電されて照明でき、また、変圧器ソケット２２やＵＳＢソケット２３を介して充電しても、電力が、電池の内部に格納され、また、杖が転んだりする時、その液面計２８が、杖が傾斜することに応じて、メッセージをコントロールパネル２０に送信し、また、コントロールパネル２０からメッセージをブザー２５に送信すると、ブザー２５が、警告の音を鳴らして、警示警告の効果が得られる。
【００１５】
作動する場合、図４乃至図６のように、クランクハンドル１５を回して（図４と５のように）、発電セット２９が、電力を発生し、電力が、電池２６の内部に格納され、そして、制御スイッチ２１を押すと、コントロールパネル２０からメッセージを送信して、発光素子２７１６と照明ランプ２４が、給電されて照明する（図６のように）。
【００１６】
また、図７のように、杖が転んだとする時、その液面計２８が、杖の傾斜により反応を行い、コントロールパネル２０に対してメッセージを送信し、また、コントロールパネル２０からメッセージをブザー２５に送信し、この時、ブザー２５が、警告の音を鳴らして、警示の効果が得られる。
【００１７】
本考案の手動発電照明の杖によれば、次の利点が得られ、主として、クランクハンドルを回すことにより、発電セットが電力を発生し、電力が、電池の内部に格納され、そして、コントロールパネルからメッセージを送信すると、発光素子と照明ランプに対して給電できる。
【００１８】
そのため、本考案は、より進歩的かつより実用的で、法に従って実用新案登録請求を出願する。
【００１９】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【符号の説明】
【００２０】
１０    杖の握り部本体
１１    第一の杖の握り部部品
１１ａ  第一の槽口
１１ｂ  第二の槽口
１１ｃ  係合槽
１１ｄ  収納空間
１１ｅ  ＵＳＢ槽
１１ｆ  スイッチ実装槽
１１ｇ  端子槽
１１ｈ  結合ブロック
１１ｉ  ランプ孔
１１ｊ  収納槽
１１ｋ  ブザー貫通孔
１１１  長尺状孔槽
１２    第二の杖の握り部部品
１２ａ  第一の槽口
１２ｂ  第二の槽口
１２ｃ  係合槽
１２ｄ  収納空間
１２ｅ  ＵＳＢ槽
１２ｆ  スイッチ実装槽
１２ｇ  端子槽
１２ｈ  結合ブロック
１２ｉ  ランプ孔
１２ｊ  収納槽
１２ｍ  貫通孔
１２１  長尺状孔槽
１３    ランプソケット
１３ａ  収納孔
１４    透明なランプの笠
１５    クランクハンドル
１５ａ  回転可能な部品
１５ｂ  握り部
１５ｃ  回転可能槽
１６    発光素子
１７    クランクハンドル槽
２０    コントロールパネル
２１    制御スイッチ
２２    変圧器ソケット
２３    ＵＳＢソケット
２４    照明ランプ
２５    ブザー
２６    電池
２７    発光素子
２８    液面計
２９    発電セット
２９ａ  制御ブロック
【図１】
0003153102.tif 000003
【図２】
0003153102.tif 000004
【図３】
0003153102.tif 000005
【図４】
0003153102.tif 000006
【図５】
0003153102.tif 000007
【図６】
0003153102.tif 000008
【図７】
0003153102.tif 000009
【手続補正書】
【提出日】平成21年6月24日(2009.6.24)
【手続補正１】
【補正対象書類名】明細書
【補正対象項目名】００１３
【補正方法】変更
【補正の内容】
【００１３】図１と図２を参照しながら、本考案は、隣接する第一の杖の握り部部品１１と第二の杖の握り部部品１２とからなる杖の握り部本体１０があり、上記杖の握り部本体１０は、該第二の杖の握り部部品１２の端部において、第一の槽口１１ａ１２ａに、ランプソケット１３が収納され、ランプソケット１３に、複数の収納孔１３ａが設けられ、上記第一の杖の握り部部品１１の端部にある第二の槽口１１ｂ、１２ｂに、発光素子１６のための透明なランプの笠１４が設けられ、上記第一および第二の杖の握り部部品１１、１２の下方にある内部の一側に、上下に対応する係合槽１１ｃ、１２ｃが設けられ、上記第一および第二の杖の握り部部品１１、１２の下方にある内部に、収納空間１１ｄ、１２ｄが形成され、また、該内部の一側に、上から下へ、ＵＳＢ槽１１ｅ、１２ｅとスイッチ実装槽１１ｆ、１２ｆ及び端子槽１１ｇ、１２ｇが設けられ、該内部の下部の一側において、上部に、結合ブロック１１ｈ、１２ｈが設けられ、また、該内部の下部の他側に、ランプ孔１１ｉ、１２ｉが設けられ、また、該内部の上部の中央に、収納槽１１ｊ、１２ｊが形成され、同時に、第一の杖の握り部部品１１の収納槽１１ｊの外側に、円形状に配列された複数のブザー貫通孔１１ｋが設けられ、また、収納槽１１ｊ、１２ｊの下方に、長尺状孔槽１１１、１２１が設けられ、一方、第二の杖の握り部部品１２の外側の下方に、クランクハンドル１５を組立てるための貫通孔１２ｍが設けられ、クランクハンドル１５の上方に、回転可能な部品１５ａが設けられ、下方に、握り部１５ｂが設けられ、回転可能な部品１５ａの中央に、回転可能槽１５ｃが設けられ、また、コントロールパネル２０があり、上記コントロールパネル２０は、上に制御スイッチ２１と変圧器ソケット２２が設置され、第二の杖の握り部部品１２の外側に、クランクハンドル槽１７が設けられ、同時に、コントロールパネル２０には、ＵＳＢソケット２３と照明ランプ２４、ブザー２５、電池２６、複数の発光素子２７、液面計２８及び発電セット２９が接続され、発光素子２７は、ＬＥＤランプであり、発電セット２９の上方の中央に、制御ブロック２９ａが設けられる。
【手続補正２】
【補正対象書類名】実用新案登録請求の範囲
【補正対象項目名】請求項１
【補正方法】変更
【補正の内容】
【請求項１】
隣接する第一の杖の握り部部品と第二の杖の握り部部品とからなり、該第二の杖の握り部部品の端部において第一の槽口にランプソケットが収納され、該ランプソケットに複数の収納孔が設けられ、上記第一の杖の握り部部品の端部にある第二の槽口に発光素子のための透明なランプの笠が設けられ、上記第一および第二の杖の握り部部品の下方にある内部の一側に上下に対応する係合槽が設けられ、該第一および第二の杖の握り部部品の下方にある内部に収納空間が形成され、また、該内部の一側にスイッチ実装槽が設けられ、該内部の一側の上部に結合ブロックが設けられて、該内部の他側にランプ孔が設けられ、また、該内部の上部の中央に収納槽が形成され、同時に、第一の杖の握り部部品の収納槽の外側に円形状に配列された複数のブザー貫通孔が設けられ、また、収納槽の下方に、長尺状孔槽が設けられ、一方、第二の杖の握り部部品の外側の下方に、クランクハンドルを組立てるための貫通孔が設けられ、クランクハンドルの上方に、回転可能な部品が設けられて、下方に握り部が設けられ、回転可能な部品の中央に回転可能槽が設けられる杖の握り部本体と、上に制御スイッチが設けられ、照明ランプとブザー、電池、複数の発光素子、液面計及び発電セットが接続され、発電セットの上方の中央に制御ブロックが設けられるコントロールパネルとが含有されることを特徴とする手動発電照明の杖。